(57)【要約】【課題】投射型システムにおける高圧放電灯のランプ電流にネガティブパルスを長時間印加しつつ寿命特性の劣化を最小限に抑える。【解決手段】高圧放電灯１と前記高圧放電灯から照射された光束Φ１を複数の色に分離する複数のカラーセグメントに分割された回転式のカラーフィルタ３と、このカラーフィルタを通過した光束Φ２に階調付けと映像信号による変調とを行う反射型の光学素子４と、この光学素子によって反射された光束Φ３をスクリーン上に投影する投影レンズ系６と、前記カラーフィルタの回転速度及び前記光学素子と同期してカラーフィルタにより切り替えられる色に応じて高圧放電灯の電力レベルを変化させて駆動させる点灯手段５とを備えた投射型システムであって少なくともひとつのカラーセグメントに同期して前記高圧放電灯のランプ電流に従来よりも短パルスのネガティブパルスを重畳印加する。【選択図】 図２
2007155952.tif 000002
【特許請求の範囲】
【請求項１】
高圧放電灯（１）と前記高圧放電灯から照射された光束（Φ１）を複数の色に分離する複数のカラーセグメントに分割された回転式のカラーフィルタ（３）と、このカラーフィルタを通過した光束（Φ２）に階調付けと映像信号による変調とを行う反射型の光学素子（４）と、この光学素子によって反射された光束（Φ３）をスクリーン上に投影する投影レンズ系（６）と、前記カラーフィルタの回転速度及び前記光学素子と同期してカラーフィルタにより切り替えられる色に応じて高圧放電灯の電力レベルを変化させて駆動させる点灯手段（５）とを備えた投射型システムであって、  
少なくともひとつのカラーセグメントに同期して前記高圧放電灯のランプ電流に短パルスのネガティブパルスを重畳印加することを特徴とする投射型システム。
【請求項２】
前記高圧放電灯は水銀が封入された直流方式又は交流方式のいずれかであることを特徴とする投射型システム。
【請求項３】
前記ネガティブパルスのパルス幅は、０．１５ｍｓ乃至０．４ｍｓの範囲にあることを特徴とする請求項１又は２記載の投射型システム。
【発明の詳細な説明】
【技術分野】
【０００１】
本発明は、光学素子とカラーフィルタを搭載した投射型システムに使用される高圧放電灯の点灯装置に関する。
【背景技術】
【０００２】
投射型システムは高速で回転するカラーフィルタに光を照射して例えば三原色（即ちＲ（赤）・Ｇ（緑）・Ｂ（青 ））を時分割にとりだし、光バルブ（通称、デジタル・マイクロミラー・デバイス又はＤＭＤと呼ばれる反射型の光学素子）を用いて画像パターンを作り、投影レンズ系を介してスクリーン上にカラー画像を投射するシステムであり、ホームシアターやＲＰＴＶ（リヤプロジェクションテレビ）などに利用されている。
【０００３】
この種の技術分野では、光源となる高圧放電灯の駆動電流（以下、「ランプ電流」という。）の大きさを制御して光源の明るさレベルを適宜調整することにより、特定の色の階調数（ビット数）を補って画質を向上させたり、光利用効率を改善して画像をより明るく表示させたりすることが行われている（特許文献１参照）。
【０００４】
また、特許文献２によれば、ランプ電流を周期的に遮断または低減（定常点灯時の９０％好ましくは５０％以下に下げること）させることにより、「光が有効に活用されていないときは放電ランプへの供給電流を遮断あるいは低下させることで、放電ランプ全体の定格電力を同一としながらも、効果的にランプ出力を使うこと」を可能にするプロジェクター装置の光源装置が記載されている。
【０００５】
【特許文献１】特開２００３−１０２０３０号公報
【特許文献２】特開２００５−１９６０１１号公報
【発明の開示】
【発明が解決しようとする課題】
【０００６】
ランプ電流を時間的に変化させるため、ランプ電流に重畳して負のパルス（これを「ネガティブパルス」という。）を印加することで、ランプ電流の大きさを定常状態の電流値から減算し、等価的に一定期間だけ電流量を小さくする方法がしばしば用いられる。
【０００７】
しかし、ランプ電流に「ネガティブパルス」を繰り返し何度も印加すると、放電ランプの寿命特性がパルスを印加しない場合よりも劣化することが分かっている。
【０００８】
図６（ａ）は、直流方式の高圧放電灯の電極構造を示す図である。２つの電極（カソード１０１ａ、アノード１０１ｂ）で構成され、その間にアーク放電Ａ１００が生じる。電流は図の矢印Ｒの方向に流れ、この時、輝点Ｋ１００はカソード１０１ａの近傍に現れる。直流方式の高圧放電灯の場合、ネガティブパルスによってアノードの電極先端部が変形しやすい。このため、アノード１０１ｂの電極質量はカソードの電極質量よりも大きく構成されている。なお、ネガティブパルスを印加しない従来のアノードの電極質量は典型値として１．０ｍｇ／Ｗ程度である。
【０００９】
アノードの電極先端部が変形する理由は、ネガティブパルスを印加するとその期間中水銀蒸気圧が低下するためにカソードから放出された電子が通常よりも高速でアノードの電極先端部に衝突するためと考えられる。アノードの電極先端部が変形により消耗してくると、アーク長が伸びるとともにアノード電極の先端が広がってくるために、凹面反射鏡と組み合わせた場合に、光の行路が分散されやすくなり、結果的にカラーフィルタを通過した光束が減衰して照度維持率が低下すると考えられる。この問題は、直流方式に限らず交流方式でも同様である。
【００１０】
図６（ｂ）は、交流方式の高圧放電灯の電極構造を示す図である。交流方式場合も直流方式同様に２つの電極（２０１a、２０１ｂ）で構成され、その間にアーク放電Ａ２００が生じる。交流点灯の場合、正の半サイクルと負の半サイクルとで電流の向きが入れ替わる。例えば正の半サイクルにおける電流の向きが矢印Ｃ１であったとすると、その間のカソードは２０１ａ、アノードは２０１ｂとなる。このときアークの輝点はカソード近傍に発生するのでＫ２０１の辺りに現れる。一方、負の半サイクルにおける電流の向きは矢印Ｃ２となり、今度はカソードが２０１ｂ、アノードが２０１aとなり、アークの輝点はＫ２０２の辺りに現れる。交流方式の高圧放電灯の場合、両方の電極が変形する。このため、２つの電極は新品の状態では同形同大に構成されている。なお、ネガティブパルスを印加しない従来の電極質量は典型値として０．５ｍｇ／Ｗ程度である。
【００１１】
電極の変形が起こる理由は、直流方式の場合と同様（すなわち、カソードから放出された電子がネガティブパルス期間の水銀蒸気圧が低下してアノードに対してより高速で衝突することで、アノードの電極先端部が消耗するため）と考えられるが、交流方式の場合、両方の電極が周期的にアノードとなるため、均一な条件でネガティブパルスを印加して均一に電極が消耗するようにする。
【００１２】
本件発明者らは、高圧放電灯の寿命特性を改善するために、「ネガティブパルスの印加」と「ランプの寿命特性の劣化（照度維持率の低下）」の関係について検討したところ、定常状態で駆動するランプ電流にネガティブパルスを印加することにより高圧放電灯の電力レベルを時間的に変化させた場合でも、印加するネガティブパルスのパルス幅を一定範囲内に制限すれば、寿命特性の劣化を効果的に抑制できるという新しい知見を得た。
【００１３】
本発明は、上記の知見に基づきなされたものであり、高圧放電灯のランプ電流にネガティブパルスを長時間印加しつつ寿命特性の劣化を最小限に抑えることを主たる技術的課題とする。
【課題を解決するための手段】
【００１４】
本発明に係る高圧放電灯による投射型システムは、高圧放電灯１と前記高圧放電灯から照射された光束Φ１を複数の色に分離する複数のカラーセグメントに分割された回転式のカラーフィルタ３と、このカラーフィルタを通過した光束Φ２に階調付けと映像信号による変調とを行う反射型の光学素子４と、この光学素子によって反射された光束Φ３をスクリーン上に投影する投影レンズ系６と、前記カラーフィルタの回転速度及び前記光学素子と同期してカラーフィルタにより切り替えられる色に応じて高圧放電灯の電力レベルを変化させて駆動させる点灯手段５とを備えた投射型システムであって、  
少なくともひとつのカラーセグメントに同期して前記高圧放電灯のランプ電流に（従来よりも）短パルスのネガティブパルスを重畳印加することを特徴とする。
【００１５】
カラーセグメントに同期してネガティブパルスを印加することにより、等価的にＤＭＤのビット数を増やすことができ、しかも、短パルスのネガティブパルスであれば繰り返し重畳印加しても高圧放電灯の寿命特性の劣化を抑えることができるためである。
【００１６】
本発明に係る投射型システムにおける高圧放電灯は水銀が封入された直流方式又は交流方式のいずれにも適用することができる。但し、後述するように、寿命特性の劣化を抑えるための電極（特にアノード）の質量は、交流方式と直流方式とで若干異なる。
【００１７】
本発明に係る投射型システムで印加するネガティブパルスのパルス幅は、０．１５ｍｓ乃至０．４ｍｓの範囲にあることが好ましい。本件発明者らの実験によれば、パルス幅は短ければ短いほど寿命特性の劣化が小さくなる傾向が確認された。このパルス幅の上限値０．４ｍｓは実験で得られた値であり、パルス幅０．４ｍｓとしたとき、寿命特性の劣化はネガティブパルスを印加しない場合とほぼ同等のレベルを達成した。下限値の０．１５ｍｓはネガティブパルスの立ち下がりに対する光の立ち下がりの応答速度の遅れ時間０．１ｍｓと、ビット処理に通常必要な時間５０μｓを加えて算出される数値であり、実現可能な最小値を規定したものである。
【発明の効果】
【００１８】
本発明によると、高圧放電灯にパルス電流を印加しながら長時間使用しても、寿命特性の劣化（照度維持率の低下）を最小限に抑えることができる。
【発明を実施するための最良の形態】
【００１９】
−システム構成について−
はじめに、本発明で説明するネガティブパルスの印加方法を適用する投射型システムの一例について説明する。
図１は本発明に係る投射型システムのシステム構成を説明するブロック図の一例を示している。本システムは高圧放電灯１及びリフレクター２より構成される光源Ｅと、カラーフィルタ３と光学素子４と投影レンズ系６とから構成される。高圧放電灯１から照射された光束Φはリフレクター２に反射されてカラーフィルタ３に光束Φ１が照射され、光学素子４によって光変調された後、所定の画像パターンが投影レンズ系６を介してスクリーン７に投影される。
【００２０】
カラーフィルタは可視光の波長を選択的に通過させる性質を持つダイクロイックフィルタよりなる複数のカラーセグメントである。図１におけるカラーフィルタ３は例えばＲ・Ｇ・Ｂ・Ｙ・Ｍ・Ｃ（赤・緑・青・黄・マゼンタ・シアン）の６色よりなる（３ａ〜３ｆ）。
【００２１】
光学素子４はＤＭＤのような反射型の光変調素子よりなり、カラーセグメント３ａ〜３ｆを通過してそれぞれの色に分離された光束Φ２を反射し、光学素子駆動装置１４より供給される映像信号（例えばビデオ信号など）により光変調を行う。
【００２２】
ＤＭＤとは光バルブの一種であり、カラーフィルタを通過した各セグメントの光に明度を与えて階調付けを行うと共に映像信号による変調を行うための光学素子（光変調素子）であり、例えば半導体メモリーセル上に多数のミラーエレメントが取り付けられたものである。その一つ一つのミラーエレメントの傾きは光学素子駆動装置により制御することができ、各ミラーの光の通過と遮断をスイッチングすることにより所定のパターンを作り出すことができる。
【００２３】
点灯手段５は電源回路と複数の電力レベルを同期信号に応じて選択的に出力させる制御回路を内蔵しており、高圧放電灯１を点灯させるためのランプ電流を供給する装置である。
【００２４】
投影レンズ系６は光学素子４の表面で反射された光束Φ３をスクリーン７上に投射するための光学レンズである。
【００２５】
カラーフィルタ駆動装置８はカラーフィルタ３を回転させるための駆動装置であり、カラーフィルタ３を一定速度で回転させる働きをする。例えば１フレームの周波数６０Ｈｚ（１画面が毎秒６０回で変化すること）のビデオ信号の場合で、カラーフィルタは上記１フレームの周波数の整数倍（例えば２倍、すなわち周波数１２０Hz）の速度で回転する。光源Ｅからの照射された光束Φ１は定速回転しているカラーフィルタ３の各セグメント３ａ〜３ｆを透過したときに時分割で色分解は行われ、それぞれの色に分解された光束Φ２はライトパイプ（図示を省略する）などを介して光学素子４に入射される。
【００２６】
カラーフィルタのタイミング検出はカラーフィルタに設けられた位置指標３ｇによってカラーフィルタの1回転のタイミングを検出する。タイミング基準信号Ｓは同期信号発生装置９に入力され、この信号を基準にして各カラーセグメント同期した複数の同期信号を点灯手段５に入力する。
【００２７】
（実施例１）−直流方式の場合−
図２（ａ）は、本発明の実施例を示すものであり、直流方式の高圧放電灯にネガティブパルスを印加した場合の電流強度波形の一例を示すものである。図２（ｂ）は、直流方式の寿命特性とネガティブパルスの関係について調べた図である。
【００２８】
カラーフィルタの回転が１２０Ｈｚ（８．３ｍｓ）でビデオフィールドを形成し、その中に１個のネガティブパルスが配置される場合を示している。この例では、パルス幅Ｔｎ＝０．４ｍｓ、電流強度は定常値の１０％のネガティブパルスが、Ｇ（緑）のカラーセグメントの後端に配置されている。
【００２９】
図２（ｂ）は、直流方式の寿命特性とネガティブパルスの関係について調べた図である。ネガティブパルスなしの場合と、ネガティブパルスを印加（Ｔｎ＝０．４）した場合とを比較して図示している。
【００３０】
ここではＲＰＴＶ用に開発した１５０Ｗの直流点灯の高圧放電灯で検証を行った。主な実験条件は次の通りである。
発光管の外形・・・１０ｍｍ
アノード質量・・・２００ｍｇ
電極間距離１．１ｍｍ
発光管内容積・・・１００ｍｍ３
水銀量・・・２３ｍｇ（０．２３ｍｇ／ｍｍ３）
安定点灯時の水銀蒸気圧は・・・約１７０気圧
ランプ電圧・・・７５Ｖ  
【００３１】
凹面反射鏡として楕円鏡を使用し、焦点位置において約６ｍｍ径の窓（アパーチャー）を集光通過できる光束を測定、高圧放電灯の点灯サイクルは投射型システムで典型的な２時間オン、１５分オフで実施した。
【００３２】
図２（ｂ）の結果から明らかなように、パルス幅Ｔｎ＝０．４ｍｓのネガティブパルスを緑セグメントの後端に印加した場合には、照度維持率５０％となる寿命時間が約６０００時間と、ネガティブパルス無しの場合の寿命特性に近似した特性を達成していることが分かる。
【００３３】
このように、同じネガティブパルスを印加する場合でも、少なくともひとつのカラーセグメントに同期して高圧放電灯のランプ電流に短パルスのネガティブパルスを重畳印加すると、高圧放電灯のアノードの消耗を低減することができる。なお、ネガティブパルスをどのカラーセグメントにどの程度のレベルで配置するかについては、さまざまな用途が考えられるが、典型的な応用例として例えば特定の色の階調数（ビット数）を補うことである。緑セグメントはしばしば階調不足になりやすく、これを補うために緑セグメントの後半乃至後端のタイミングで電流強度を前半（定常値）の約１／２（５０％）に低減するネガティブパルスを重畳印加すれば、等価的にＤＭＤのビット数を１ビット増やすことができる。約１／４（２５％）に低減するネガティブパルスと約１／２（５０％）に低減するネガティブパルスを組み合わせると、等価的にＤＭＤのビット数を２ビット増やすことができる。
【００３４】
ネガティブパルスの電流強度の下限については１０％以上とすることが望ましい。電流強度が定常値の１０％よりも小さくなるようなネガティブパルスでは電力の低減が大きすぎ、アーク放電領域からグロー放電領域へ遷移してランプ電圧が上昇するためである。すなわち、電流強度を１０％以下にしてもランプ電力は１０％以下にならない。光出力はランプ電流ではなくランプ電力（ランプ電流とランプ電力の積）に依存しており、「ランプ電力」を１０％以下とすることは実現困難である。換言すると、ランプ電流を１０％以下に低減するネガティブパルスを重畳印加すると、アーク放電領域からグロー放電領域に遷移する結果、瞬間的にランプ電力が大きくなり、寿命特性の劣化が大きくなる。
【００３５】
ネガティブパルスの電流強度の上限について数値を確定することは困難であるが、例えば、多くとも６０％以下とすることが望ましい。その理由は、第一に、特定の色の階調数（ビット数）を補うためのネガティブパルスである場合、定常値の約１／２（５０％）あるいは約１／４（２５％）で十分有効に目的を達成でき、第二に、ネガティブパルス印加後の電流値が定常値の６０％以上のときは、そもそも高圧放電灯の寿命特性を劣化させる問題が殆ど生じないからである。
【００３６】
電流強度が定常値の６０％以下となるネガティブパルスを繰り返し印加すると、パルス幅を短くしてもアノードの変形は少なからず一定程度で進行するため、照度維持率の減少を少しでも抑えるために、従来よりも電極質量が大きいアノードを用いることが好ましい。例えば、ネガティブパルスを印加しない従来のアノード電極質量の典型値としては１．０ｍｇ／Ｗ程度であるのに対し、本発明を適用して照度維持率の減少を抑える観点からは、アノードの電極質量は例えば２割増の１．２ｍｇ／Ｗ以上であることが好ましい。この場合、アーク安定性についてはカソードの電極先端の温度に依存しているため、アノードの電極質量を大きくしたことによる影響は小さく、電極質量は大きいほどよい（上限は放電灯製造上の制約などで決まる）。
【００３７】
−比較例１（直流方式）−
図４（ａ）は、直流方式の高圧放電灯にネガティブパルスを印加した場合の電流強度波形の一例を示すものである。この図は、カラーフィルタの回転が１２０Ｈｚ（８．３ｍｓ）でビデオフィールドを形成し、その中にパルス幅Ｔｎの１個のネガティブパルスが配置される場合を示している。
【００３８】
図４（ｂ）は、直流方式の寿命特性とネガティブパルスの関係について調べた図である。ネガティブパルスなし、ネガティブパルスを印加（Ｔｎ＝０．６ｍｓ，Ｔｎ＝１．２ｍｓ）の３つの場合を比較して図示している。ここではネガティブパルス電流強度がかなり低い場合（定常値の１０％）の寿命特性を示している
【００３９】
パルス幅Ｔｎ＝１．２ｍｓは、カラーセグメント６個中１個分の長さに相当するが、その寿命特性は図４（ｂ）に示すように、初期の段階から照度の低下が著しい。パルス幅Ｔｎ＝０．６ｍｓとすると、やや改善傾向にはあるが、パルスなしの場合に比べると依然として照度維持率の低下が大きい。
【００４０】
寿命時間の経過とともにやや小康状態を示すのは、アーク長が延びることでランプ電圧が上昇するとともにランプ電流が減少するため、電極への影響が軽減されていくためである。
【００４１】
なお、特許文献２では、光の利用効率を高めることを目的として、回転フィルター（本発明におけるカラーフィルターに相当する）の境界でランプ電流を遮断又は低下させる旨記載されている。しかし、同文献の第２５段落に記載されているように、「境界部分は色情報として使うことができない」ため、この構成では、本発明のようにビット数を高める効果を奏することはない。また、いずれの文献にも、「ネガティブパルスのパルス幅」と「高圧放電灯の寿命特性」の関係を指摘したものはない。
【００４２】
（実施例２）−交流方式の場合−
図３（ａ）は、本発明の実施例を示すものであり、交流方式の高圧放電灯にネガティブパルスを印加した場合の電流強度波形の一例を示すものである。図３（ｂ）は、交流方式の寿命特性とネガティブパルスの関係について調べた図である。
【００４３】
カラーフィルタの回転が１２０Ｈｚ（８．３ｍｓ）でビデオフィールドを形成し、その中に１個のネガティブパルスが配置される場合を示している。パルス幅Ｔｎ＝０．４ｍｓ、電流強度は定常値の１０％のネガティブパルスが、Ｇ（緑）のカラーセグメントの後端に配置されている。
【００４４】
交流方式の高圧放電灯の寿命特性を劣化させないためには、供給される平均電力が正の半サイクルと負の半サイクルとで等しくなるようにする必要があり、ネガティブパルスは図３（ａ）に示すように対称に配置される。
【００４５】
図３（ｂ）は、交流方式の寿命特性とネガティブパルスの関係について調べた図である。ネガティブパルスなしの場合と、ネガティブパルスを印加（Ｔｎ＝０．４）した場合とを比較して図示している。
【００４６】
ここでは実験用に試作した１５０Ｗの交流点灯の高圧放電灯で検証を行った。主な実験条件は次の通りである。
発光管の外形・・・１０ｍｍ
アノード質量・・・１５０ｍｇ
電極間距離１．１ｍｍ
発光管内容積・・・１００ｍｍ３
水銀量・・・２３ｍｇ（０．２３ｍｇ／ｍｍ３）
安定点灯時の水銀蒸気圧は・・・約１７０気圧
ランプ電圧・・・７５Ｖ  
【００４７】
凹面反射鏡として楕円鏡を使用し、焦点位置において約６ｍｍ径の窓（アパーチャー）を集光通過できる光束を測定、高圧放電灯の点灯サイクルは投射型システムで典型的な２時間オン、１５分オフで実施した。
【００４８】
図３（ｂ）の結果から明らかなように、パルス幅Ｔｎ＝０．４ｍｓのネガティブパルスを緑セグメントの後端に印加した場合には、照度維持率５０％となる寿命時間が約５０００時間と、ネガティブパルス無しの場合の寿命特性に近似した特性を達成していることが分かる。
【００４９】
このように、交流方式についても直流方式同様に、同じネガティブパルスを印加する場合でも、少なくともひとつのカラーセグメントに同期して高圧放電灯のランプ電流に短パルスのネガティブパルスを重畳印加すると、高圧放電灯のアノードの消耗を低減することができる。
【００５０】
なお、交流点灯の高圧放電灯の場合はアノードとカソードが周期的に入れ替わるため、電極質量を大きくしすぎるとカソードになっている電極近傍で電極先端の温度が低下するため、輝点移動（アークジャンプとも言う）によるフリッカが発生しやすくなる。従って交流方式の場合には、寿命特性とアークの安定性の両方を満たすための電極質量条件が存在する。実験では、０．７５ｍｇ／Ｗ〜１．２ｍｇ／Ｗの範囲で良好な比較的結果が得られた。
【００５１】
−比較例２（交流方式）−
図５（ａ）は、交流方式の高圧放電灯にネガティブパルスを印加した場合の電流強度波形の一例を示すものである。この図は、カラーフィルタの回転が１２０Ｈｚ（８．３ｍｓ）でビデオフィールドを形成し、その中にパルス幅Ｔｎの１個のネガティブパルスが配置される場合を示している。
【００５２】
この図に示すように、ネガティブパルスを印加する場合は、正の半サイクルと負の半サイクルとで、ネガティブパルスが対称に配置される。こうすると、２つの電極が均等に消耗する。
【００５３】
図５（ｂ）は、交流方式の寿命特性とネガティブパルスの関係について調べた図である。ネガティブパルスなし、ネガティブパルスを印加（Ｔｎ＝０．６ｍｓ，Ｔｎ＝１．２ｍｓ）の３つの場合を比較して図示している。ここではネガティブパルスの電流強度がかなり低い場合（定常値の１０％）の寿命特性を示している。
【００５４】
パルス幅Ｔｎ＝１．２ｍｓは、カラーセグメント６個中１個分の長さに相当するが、その寿命特性は図５（ｂ）に示すように、初期の段階から照度の低下が著しい。パルス幅Ｔｎ＝０．６ｍｓとすると、やや改善傾向にはあるが、パルスなしの場合に比べると依然として照度維持率の低下が大きい。
【００５５】
すなわち、比較例１及び比較例２によると、直流方式及び交流方式のいずれの場合にも、ネガティブパルスを単に印加すると電極が変形し、放電灯の寿命特性を劣化させるのに対し、実施例１及び実施例２のように、印加するパルス幅Ｔｎが短いほど、寿命特性の劣化が小さくなることが分かり、実用的なレベルとしては、上述したように少なくとも０．４ｍｓ以下であればよいことが分かる。
【産業上の利用可能性】
【００５６】
本発明にかかる投射型システムは、ネガティブパルスを印加することで特定の色の階調数（ビット数）を補い、画質を向上させることができると同時に、電極の寿命特性の劣化を低減することができる点で、産業上の利用可能性は大きい。
【図面の簡単な説明】
【００５７】
【図１】図１は、本発明に係る投射型システムのシステム構成を説明するブロック図である。
【図２】図２（ａ）は、本発明の実施例を示すものであり、直流方式の高圧放電灯にネガティブパルスを印加した場合の電流強度波形の一例を示すものである。図２（ｂ）は、直流方式の寿命特性とネガティブパルスの関係について調べた図である。
【図３】図３（ａ）は、本発明の実施例を示すものであり、交流方式の高圧放電灯にネガティブパルスを印加した場合の電流強度波形の一例を示すものである。図３（ｂ）は、交流方式の寿命特性とネガティブパルスの関係について調べた図である。
【図４】図４（ａ）は、直流方式の高圧放電灯にネガティブパルスを印加した場合の電流強度波形の一例を示すものである。図４（ｂ）は、直流方式の寿命特性とネガティブパルスの関係について調べた図である。
【図５】図５（ａ）は、交流方式の高圧放電灯にネガティブパルスを印加した場合の電流強度波形の一例を示すものである。図５（ｂ）は、交流方式の寿命特性とネガティブパルスの関係について調べた図である。
【図６】図６（ａ）は、直流方式の高圧放電灯の電極構造を示す図である。図６（ｂ）は、交流方式の高圧放電灯の電極構造を示す図である。
【符号の説明】
【００５８】
ＩＬ    直流ランプ電流
Ｅ    光源
Ｓ    同期信号
Φ    光（光束）
１    高圧放電灯
２    リフレクター
３    カラーフィルタ
３ａ〜３ｆ    カラーセグメント
３ｇ          位置指標
４    光学素子
５    直流点灯手段
６    投影レンズ系
７    スクリーン
８    カラーフィルタ駆動装置
９    同期信号発生装置
１３    ビデオ入力部
１４    光学素子駆動素子
【図１】
2007155952.tif 000003
【図２】
2007155952.tif 000004
【図３】
2007155952.tif 000005
【図４】
2007155952.tif 000006
【図５】
2007155952.tif 000007
【図６】
2007155952.tif 000008